(57)【要約】【課題】包装袋の外観を損ない、包装袋の強度低下をきたすおそれのある吸着穴を形成せずに、仕切シートによって区画された第１袋口と第２袋口を別々に開いて第１収納部と第２収納部に別々に被投入物を投入できる包装袋及び投入方法を提供し、また、第１袋口と第２袋口を確実に開くことのできる包装袋及び投入方法を提供する。【解決手段】外面シート１１における袋口下方近辺を第１吸盤２２で吸着するとともに、仕切シート１３の上縁を第２吸盤２３で吸着し、第１吸盤と第２吸盤を離間方向へ移動させて第１袋口１０ｇを開口し、開口した第１袋口から第１収納部１０ｆに第１被包装物２５を投入する。また仕切シート１３の上縁を第３吸盤２６で吸着し、外面シート１２における袋口下方近辺を第４吸盤２７で吸着し、第３吸盤と第４吸盤を離間方向へ移動させて第２袋口１０ｉを開口し、開口した第２袋口から第２収納部１０ｈに第２被包装物３０を投入する。【選択図】図４
2011102132.tif 000002
【特許請求の範囲】
【請求項１】
一対の外面シートと少なくとも１枚の仕切シートを備え、両外面シートの左右両側縁と下縁を接合して両外面シートで収納部を形成するとともに、収納部の上端に袋口を形成し、両外面シートの間に仕切りシートを介在させて収納部を少なくとも第１収納部と第２収納部に区画するとともに、袋口を第１収納部に通じる第１袋口と第２収納部に通じる第２袋口に区画した包装袋であって、
前記仕切シートの上縁が前記袋口の周縁から収納部外方へ突出するように設けたことを特徴とする包装袋。
【請求項２】
前記両外面シートの上縁及び仕切シートの上縁を接合し、上縁接合部の下方近辺において各外面シートに一方の側縁接合部から他方の側縁接合部へ延びる略袋幅に等しい長さのスリット又は切欠を形成し、両スリット又は両切欠で前記袋口を形成したことを特徴とする請求項１に記載の包装袋。
【請求項３】
一対の外面シートと少なくとも１枚の仕切シートを備え、両外面シートの左右両側縁と下縁を接合して両外面シートで収納部を形成するとともに、収納部の上端に袋口を形成し、両外面シートの間に仕切りシートを介在させて収納部を少なくとも第１収納部と第２収納部に区画するとともに、袋口を第１収納部に通じる第１袋口と第２収納部に通じる第２袋口に区画し、前記仕切シートの上縁が前記袋口の周縁から収納部外方へ突出するように設けた包装袋に被包装物を投入する投入方法であって、
一方の外面シートにおける袋口下方近辺を第１吸盤で吸着するとともに、仕切シートの上縁を第２吸盤で吸着し、第１吸盤と第２吸盤を離間方向へ移動させて第１袋口を開口する第１開口工程と、
開口した第１袋口から第１収納部に第１被包装物を投入する第１投入工程と、
他方の外面シートにおける袋口下方近辺を第３吸盤で吸着するとともに、仕切シートの上縁を第４吸盤で吸着し、第３吸盤と第４吸盤を離間方向へ移動させて第２袋口を開口する第２開口工程と、
開口した第２袋口から第２収納部に第２被包装物を投入する第２投入工程を備えたことを特徴とする包装袋に被包装物を投入する投入方法。
【発明の詳細な説明】
【技術分野】
【０００１】
本発明は、包装袋及び包装袋に被包装物を投入する投入方法に関する。
【背景技術】
【０００２】
包装袋の一形式として、特許第３４１３５０６号公報には一対の外面シートと一枚の仕切シートから成り、両外面シートの左右両側縁と下縁を溶着して両外面シートで収納部と収納部の上端に袋口を形成し、両外面シートの間に仕切りシートを介在させて収納部を第１収納部と第２収納部に区画し、袋口を第１収納部に通じる第１袋口と第２収納部に通じる第２袋口に区画した包装袋が開示されている。
【０００３】
この包装袋における一方の外面シートの袋口下方近辺に外面シートの内外を連通する第１吸着穴が形成されている。また、他方の外面シートの袋口下方近辺に第２吸着穴が形成されている。そして、第１吸着穴と第２吸着穴は重ならないように配置されている。
【０００４】
この包装袋に被包装物を投入して包装するには、一方の外面シートにおける袋口下方近辺の第１吸着穴に重ならない部位を第１吸盤で吸着するとともに、第２吸着穴を通して仕切シートの上縁を第２吸盤で吸着し、第１吸盤と第２吸盤を離間方向へ移動させて第１袋口を開口し、開口した第１袋口から第１収納部に第１被包装物を投入する。
続いて、他方の外面シートにおける袋口下方近辺の第２吸着穴に重ならない部位を第３吸盤で吸着するとともに、第１吸着穴を通して仕切シートの上縁を第４吸盤で吸着し、第３吸盤と第４吸盤を離間方向へ移動させて第２袋口を開口すし、開口した第２袋口から第２収納部に第２被包装物を投入する。
第１収納部と第２収納部に被包装物を投入した後、袋口の下方近辺を幅方向に延びる帯状に溶着して袋口を閉じるとともに吸着穴を塞いで被包装物を包装する。
【先行技術文献】
【特許文献】
【０００５】
【特許文献１】特許第３４１３５０６号公報
【発明の概要】
【発明が解決しようとする課題】
【０００６】
上記した従来の包装袋では袋口の下方近辺に第１吸着穴と第２吸着穴が形成されているため、これら吸着穴によって包装袋の外観が損なわれる。
また、袋口や第１、第２吸着穴は袋口の下方近辺を帯状に溶着して閉じられるが、吸着穴の形成された部位の強度が他の部位に比べて低くなる。
さらにまた、仕切シートに皺が生じたり、幾重かに湾曲していると、吸盤で吸着したとき吸着状態が不安定になり、第１又は第２袋口が開かないおそれがある。
【０００７】
本発明はかかる問題点に鑑み、包装袋の外観を損なうだけでなく、包装袋の強度低下をきたすおそれのある吸着穴を形成しなくても、仕切シートによって区画された第１袋口と第２袋口を別々に開いて第１収納部と第２収納部に別々に被投入物を投入できる包装袋及び投入方法を提供することを第１の目的とする。
また、第１袋口と第２袋口を確実に開くことのできる包装袋及び投入方法を提供することを第２の目的とする。
【課題を解決するための手段】
【０００８】
請求項１に記載の発明は、一対の外面シートと少なくとも１枚の仕切シートを備え、両外面シートの左右両側縁と下縁を接合して両外面シートで収納部を形成するとともに、収納部の上端に袋口を形成し、両外面シートの間に仕切りシートを介在させて収納部を少なくとも第１収納部と第２収納部に区画するとともに、袋口を第１収納部に通じる第１袋口と第２収納部に通じる第２袋口に区画した包装袋であって、
前記仕切シートの上縁が前記袋口の周縁から収納部外方へ突出するように設けたことを特徴とする。
【０００９】
請求項２に記載の発明は、請求項１に記載の包装袋において、前記両外面シートの上縁及び仕切シートの上縁を接合し、上縁接合部の下方近辺において各外面シートに一方の側縁接合部から他方の側縁接合部へ延びる略袋幅に等しい長さのスリット又は切欠を形成し、両スリット又は両切欠で前記袋口を形成したことを特徴とする。
【００１０】
請求項３に記載の発明は、一対の外面シートと少なくとも１枚の仕切シートを備え、両外面シートの左右両側縁と下縁を接合して両外面シートで収納部を形成するとともに、収納部の上端に袋口を形成し、両外面シートの間に仕切りシートを介在させて収納部を少なくとも第１収納部と第２収納部に区画するとともに、袋口を第１収納部に通じる第１袋口と第２収納部に通じる第２袋口に区画し、前記仕切シートの上縁が前記袋口の周縁から収納部外方へ突出するように設けた包装袋に被包装物を投入する投入方法であって、
一方の外面シートにおける袋口下方近辺を第１吸盤で吸着するとともに、仕切シートの上縁を第２吸盤で吸着し、第１吸盤と第２吸盤を離間方向へ移動させて第１袋口を開口する第１開口工程と、
開口した第１袋口から第１収納部に第１被包装物を投入する第１投入工程と、
他方の外面シートにおける袋口下方近辺を第３吸盤で吸着するとともに、仕切シートの上縁を第４吸盤で吸着し、第３吸盤と第４吸盤を離間方向へ移動させて第２袋口を開口する第２開口工程と、
開口した第２袋口から第２収納部に第２被包装物を投入する第２投入工程を備えたことを特徴とする。
【発明の効果】
【００１１】
本発明に係る包装袋及び包装袋に被包装物を投入する投入方法によれば、一方の外面シートにおける袋口下方近辺を第１吸盤で吸着するとともに、仕切シートの上縁を第２吸盤で吸着し、第１吸盤と第２吸盤を離間方向へ移動させて第１袋口を開口し、開口した第１袋口から第１収納部に第１被包装物を投入できる。また、仕切シートの上縁を第３吸盤で吸着し、他方の外面シートにおける袋口下方近辺を第４吸盤でし、第３吸盤と第４吸盤を離間方向へ移動させて第２袋口を開口し、開口した第２袋口から第２収納部に第２被包装物を投入できる。
このように本発明によれば、第１袋口と第２袋口を別々に開いて第１収納部と第２収納部に別々に被投入物を投入できる。
【００１２】
しかして、従来のこの種包装袋では第１袋口と第２袋口を別々に開くため袋口の下方近辺に吸着穴が形成されていたが、本発明によれば、吸着穴を省略できるので、包装袋の見栄えが良くなるとともに、吸着穴による包装袋の強度低下を回避できる。
【００１３】
また、前記両外面シートの上縁及び仕切シートの上縁を接合し、上縁接合部の下方近辺において各外面シートに一方の側縁接合部から他方の側縁接合部へ延びる略袋幅に等しい長さのスリット又は切欠を形成し、両スリット又は両切欠で前記袋口を形成した場合、両外面シートの上縁と仕切シートの上縁の接合により仕切シートに皺や幾重かの湾曲が生じ難くなる。従って、仕切シートの皺や湾曲に起因して仕切シートの吸盤による吸着が不安定になり、その結果第１袋口もしくは第２袋口が開かなくなるのを防止できる。
【図面の簡単な説明】
【００１４】
【図１】本発明の第１実施例に係る包装袋を示す斜視図である。
【図２】図１の２−２線から切断した断面図である。
【図３】本発明の第１実施例に係る包装袋に被包装物を投入する工程説明図である。
【図４】同工程説明図である。
【図５】本発明の第２実施例に係る包装袋を示す斜視図である。
【図６】図５の６−６線から切断した断面図である。
【図７】本発明の第２実施例に係る包装袋に被包装物を投入する工程説明図である。
【図８】同工程説明図である。
【図９】本発明の第３実施例に係る包装袋を示す斜視図である。
【図１０】図９の１０−１０線から切断した断面図である。
【実施例１】
【００１５】
本発明の第１実施例に係る包装袋を図１及び図２に示す。当該包装袋１０は表裏一対の外面シート１１，１２と一枚の仕切シート１３から成る。表裏一対の外面シート１１，１２と仕切シート１３は両外面シート１１，１２の間に仕切シート１３を挟み込むように３枚のシート１１，１２，１３を重ね合わせ、外面シート１１，１２と仕切シート１３の上縁を除き、左右両側縁１０ａ，１０ｂ及び下縁１０ｃを溶着して包装袋１０に成形されている。外面シート１１，１２は非通気性の透明プラスチックフィルムが用いられ、仕切シート１３には通気性を有する透明プラスチックフィルムが用いられている。
【００１６】
包装袋１０は両外面シート１１，１２によって収納部１０ｄと袋口１０ｅが区画形成され、収納部１０ｄと袋口１０ｅが仕切シート１３によって第１収納部１０ｆと第１収納部１０ｆに通じる第１袋口１０ｇ及び第２収納部１０ｈと第２収納部１０ｈに通じる第２袋口１０ｉに区画されている。
【００１７】
仕切シート１３はその上縁１３ａが袋口１０ｅの周縁すなわち、外面シート１１の上縁１１ａ及び外面シート１２の上縁１２ａから収納部１０ｄ上方（外方）へ所定寸法だけ突出している。上縁１３ａの突出寸法は後述する吸盤によって上縁１３ａを吸着するに必要なサイズに設定されている。
【００１８】
第１実施例に係る包装袋１０の構造は以上の通りであって、この包装袋１０に被包装物の一例として「脱酸素剤」と「ふりかけ」を投入する投入工程を図３及び図４に示す。空の包装袋１０の左右両側縁１０ａ，１０ｂを一対のグリッパー２０，２１で掴み、包装袋１０が湾曲しないように引っ張った状態で袋口１０ｅを上にして吊り下げる（図３のＡ参照）。
【００１９】
第１吸盤２２で一方の外面シート１１の袋口１０ｅの下方近辺を吸着するとともに、袋口１０ｅの周縁から突出している仕切シート１３の上縁１３ａを第２吸盤２３で吸着し、第１吸盤２２と第２吸盤２３を離間方向へ所定の間隔だけ移動させる。このとき、両吸盤２２，２３の移動距離に対応して両グリッパー２０，２１の間隔を狭める。これにより、第１袋口が開口されるので（図３のＢ、図４のＡ参照）、第１収納部１０ｆに投入機２４から脱酸素剤の小袋２５を投入する（図４のＡ参照）。
【００２０】
次に、グリッパー２０，２１の間隔を拡げて包装袋１０を引っ張った状態で、第３吸盤２６で仕切シート１３の上縁１３ａを吸着するとともに、第４吸盤２７で他方の外面シート１２の袋口１０ｅの下方近辺を吸着する。続いて、グリッパー２０，２１の間隔を狭めながら、両吸盤２６，２７を離間方向へ移動させる（図３のＣ、図４のＢ参照）。これにより第２袋口１０ｈが開口するので、ガイド２８を第２袋口１０ｉに進入させ、ガイド口２８ａを開き、ガイド２８中にふりかけ投入機２９を進入させ、ふりかけ３０を第２収納部１０ｈへ所定量投入する（図４のＣ参照）。
【００２１】
脱酸素剤の小袋２５とふりかけ３０をそれぞれ第１収納部１０ｆと第２収納部１０ｈに投入後、グリッパー２０，２１の間隔を拡げて包装袋１０を引っ張り、その状態でヒートシール３１で袋口１０ｅを溶着する。
このように本実施例に係る包装袋１０及び被包装物の投入方法によれば、第１袋口１０ｇと第２袋口１０ｉを別々に開いて第１収納部１０ｆと第２収納部１０ｈに別々に被投入物を投入できる。しかして、従来のこの種包装袋では第１袋口１０ｇと第２袋口１０ｉを別々に開くため袋口１０ｅの下方近辺に吸着穴が形成されていたが、本実施例によれば、吸着穴を省略できるので、包装袋１０の見栄えが良くなるとともに、吸着穴による包装袋の強度低下を回避できる。
【実施例２】
【００２２】
次に本発明の第２実施例に係る包装袋４０を図５及び図６に示す。第１実施例に係る包装袋１０では、両外面シート１１，１２の上縁１１ａ，１２ａと仕切シート１３の上縁１３ａは互いに分離していたが、第２実施例に係る包装袋４０では両外面シート４１，４２と仕切シート４３は左右両側縁４０ａ，４０ｂと下縁４０ｃに加え、上縁４０ｄも溶着されている。そして、各外面シート４１，４２における上縁溶着部４０ｄの下方近辺に一方の側縁溶着部４０ａから他方の側縁溶着部４０ｂに達するスリット４１ａ，４２ａが上縁溶着部４０ｄと略平行に形成され、両スリット４１ａ，４２ａによって包装袋４０の袋口４０ｇが形成されるとともに、仕切シート４３によって袋口４０ｇが第１袋口４０ｈと第２袋口４０ｉに区画されている。また、仕切シート４３によって収納部４０ｊが第１収納４０ｋ部と第２収納部４０ｌに区画されている。このスリット４１ａ，４２ａは各外面シート４１，４２に予め形成されており、両外面シート４１，４２で仕切シート４３を挟み込むように３枚のシート４１，４２，４３を重ね合わせ、シート４１，４２，４３の両側縁４０ａ，４０ｂ、下縁４０ｃ及上縁４０ａを溶着することで、包装袋４０に成形されている。
【００２３】
第２実施例に係る包装袋４０に脱酸素剤の小袋２５とふりかけ３０を投入する手順を図７及び図８に基づき説明する。空の包装袋４０の左右両側縁を一対のグリッパー２０，２１で掴み、包装袋４０が湾曲しないように引っ張った状態で袋口４０ｇを上にして吊り下げる（図７のＡ参照）。
【００２４】
第１吸盤５０で一方の外面シート４１のスリット４１ａの下方近辺を吸着するとともに、他方の外面シート４２のスリット４２ａを通して仕切シート４３の上縁４３ａを第２吸盤５１で吸着し、第１吸盤５０と第２吸盤５１を離間方向へ所定の間隔だけ移動させる。このとき、両吸盤５０，５１の移動距離に対応して両グリッパー２０，２１の間隔を狭める。これにより、第１袋口４０ｈが開口されるので、第１収納部４０ｋに投入機２４から脱酸素剤の小袋２５を投入する（図８のＡ参照）。
【００２５】
次に、グリッパー２０，２１の間隔を拡げて包装袋４０を引っ張った状態で、第３吸盤５２で他方の外面シート４２のスリット４２ａの下方近辺を吸着し、一方の外面シート４１のスリット４１ａを通して仕切りシート４３の上縁４３ａを第４吸盤５３で吸着する。続いて、グリッパー２０，２１の間隔を狭めながら、両吸盤５２，５３を離間方向へ移動させる。これにより第２袋口４０ｉが開口するので、ガイド２８を第２袋口４０ｉに進入させ（図８のＢ参照）、ガイド口２８ａを開き、ガイド２８中にふりかけ投入機２９を進入させ、ふりかけ３０を第２収納部４０ｌへ所定量投入する（図８のＣ参照）。その後、ヒートシール３１で袋口４０ｇを閉じる（図８のＤ参照）。
【実施例３】
【００２６】
次に本発明の第３実施例に係る包装袋６０を図９及び図１０に示す。第２実施例に係る包装袋４０では両外面シート４１，４２と仕切シート４３の上縁４０ｄを溶着するとともに、各外面シート４１，４２にスリット４１ａ，４２ａを形成して袋口４０ｇを形成しているが、第３実施例に係る包装袋６０では、スリット４１ａ，４２ａに代えて外面シート６１，６２に細長い切欠６１ａ，６２ａを形成し、この切欠６１ａ，６２ａによって袋口６０ａを形成している。本実施例に係る包装袋６０では切欠６１ａ，６２ａを通して仕切シート６３の上縁６３ａを吸盤で吸着することにより、第１収納部６０ｂに通じる第１袋口６０ｃと第２収納部６０ｄに通じる第２袋口６０ｅを部別に開くことができる。
【００２７】
以上説明したように、第２、第３実施例に係る包装袋によれば、両外面シート４１，４２，６１，６２の上縁及び仕切シート４３，６３の上縁を接合し、上縁接合部の下方近辺において各外面シート４１，４２，６１，６２に一方の側縁接合部から他方の側縁接合部へ延びる略袋幅に等しい長さのスリット４１ａ，４２ａ又は切欠６１ａ，６２ａを形成し、両スリット４１ａ，４２ａ又は両切欠６１ａ，６２ａで袋口４０ｇ，６０ａを形成したので、両外面シート４１，４２，６１，６２の上縁と仕切シート４３，６３の上縁の接合により仕切シート４３，６３に皺や幾重かの湾曲が生じ難くなる。従って、仕切シート４３，６３の皺や湾曲に起因して仕切シート４３，６３の吸盤による吸着が不安定になり、その結果第１袋口４０ｈ，６０ｃもしくは第２袋口４０ｉ，６０ｅが開かなくなるのを防止できる。
【符号の説明】
【００２８】
１０…包装袋
１０ａ，１０ｂ…側縁
１０ｃ…下縁
１０ｄ…収納部
１０ｅ…袋口
１０ｆ…第１収納部
１０ｇ…第１袋口
１０ｈ…第２収納部
１０ｉ…第２袋口
１１…外面シート
１２…外面シート
１３…仕切シート
１３ａ…仕切シートの上縁
２２…第１吸盤
２３…第２吸盤
２６…第３吸盤
２７…第４吸盤
４０…包装袋
４０ｅ，４０ｆ…スリット
４０ｇ…袋口
４０ｈ…第１袋口
４０ｉ…第２袋口
４０ｊ…収納部
４０ｋ…第１収納部
４０ｌ…第２収納部
４１…外面シート
４１ａ…スリット
４２…外面シート
４２ａ…スリット
４３…仕切シート
５０…第１吸盤
５１…第２吸盤
５２…第３吸盤
５３…第４吸盤
６０…包装袋
６０ｂ…第１収納部
６０ｃ…第１袋口
６０ｄ…第２収納部
６０ｅ…第２袋口
６１…外面シート
６１ａ…切欠
６２…外面シート
６２ａ…切欠
６３…仕切シート 
【図１】
2011102132.tif 000003
【図２】
2011102132.tif 000004
【図３】
2011102132.tif 000005
【図４】
2011102132.tif 000006
【図５】
2011102132.tif 000007
【図６】
2011102132.tif 000008
【図７】
2011102132.tif 000009
【図８】
2011102132.tif 000010
【図９】
2011102132.tif 000011
【図１０】
2011102132.tif 000012